(57)【要約】  本発明は、オムツ、パンツ型オムツ、失禁ガード、パンツライナー、開放型オムツ、ベルト型オムツ、又はこの種のもののような、吸収性物品に関する。より具体的には、本発明は、開口部を有する受入部を有する吸収性物品のための固定装置と、物品を閉じる際に、受入部の開口部の中に挿入することができるように形成されたタブ要素とに関している。タブ要素と受入部との両方が固定手段を有することが、本発明の特徴である。受入部とタブ要素との両方が固定要素を有すると言う事実によって、強力で安定した接続が、固定装置の構成部品の間に形成される。
2008543419.tif 000002
【特許請求の範囲】
【請求項１】
近位部分（２１ａ，２２ａ，３２１ａ，４２１ａ）及び遠位部分（２１ｂ，２２ｂ，３２１ｂ，４２１ｂ）と、これら近位部分と遠位部分との間に配置された開口部（２１ｃ，２２ｃ，３２１ｃ，４２１ｃ，５１，５２，５３，５４，６２１ｃ，７２１ｃ）とを備える受入部分（２１，２２，３２１，４２１，６２１，７２１）と、
近位部分（２３ａ，２４ａ，３２２ａ，４２２ａ，６２２ａ，７２２ａ）及び遠位部分（２３ｂ，２４ｂ，３２２ｂ，４２２ｂ，６２２ｂ，７２２ｂ）を有するタブ要素（２３，２４，３２２，４２２，６２２，７２２）と、
を有し、
前記タブ要素の少なくとも遠位部分（２３ｂ，２４ｂ，３２２ｂ，４２２ｂ，６２２ｂ，７２２ｂ）は、物品（１）を閉塞する際に、前記受入部分の前記開口部（２１ｃ，２２ｃ，３２１ｃ，４２１ｃ，５１，５２，５３，５４，６２１ｃ，７２１ｃ）の中に挿入され得るように形成されている固定装置（２１，２２，２３，２４）を備える吸収性物品（１）であって、
前記タブ要素（２３，２４，３２２，４２２，６２２，７２２）と前記受入部分（２１，２２，３２１，４２１，６２１，７２１）との両方は、固定手段（２Ｉｄ，２２ｄ，２３ｄ，２４ｄ，３２１ｄ，３２２ｄ，６２１ｄ，６２２ｄ，７２１ｄ，７２２ｄ）を有することを特徴とする吸収性物品。
【請求項２】
前記タブ要素（２３，２４，３２２，４２２，６２２，７２２）及び前記受入部分（２１，２２，３２１，４２１，６２１，７２１）は、前記受入部分及び前記タブ要素に取り付けるための前記固定手段（２１ｄ，２２ｄ，２３ｄ，２４ｄ，３２１ｄ，３２２ｄ，６２１ｄ，６２２ｄ，７２１ｄ，７２２ｄ）を有することを特徴とする請求項１に記載の吸収性物品。
【請求項３】
前記タブ要素（２３，２４，３２２，４２２，６２２，７２２）は、フック材の形態の前記固定手段（２１ｄ，２２ｄ，２３ｄ，２４ｄ，３２１ｄ，３２２ｄ，６２１ｄ，６２２ｄ，７２１ｄ，７２２ｄ）を有することを特徴とする請求項１又は２に記載の吸収性物品。
【請求項４】
前記受入部分（２１，２２，３２１，４２１，６２１，７２１）は、フック材の形態の前記固定手段（２１ｄ，２２ｄ，２３ｄ，２４ｄ，３２１ｄ，３２２ｄ，６２１ｄ，６２２ｄ，７２１ｄ，７２２ｄ）を有することを特徴とする請求項１〜３のいずれか一項に記載の吸収性物品。
【請求項５】
前記受入部分（２１，２２，３２１，４２１，６２１，７２１）は、前記開口部（２１ｃ，２２ｃ，３２１ｃ，４２１ｃ，５１，５２，５３，５４，６２１ｃ，７２１ｃ）に近接して配置された、少なくとも２つの分離されたフック材の形態の前記固定手段（２１ｄ，２２ｄ，２３ｄ，２４ｄ，３２１ｄ，３２２ｄ，６２１ｄ，６２２ｄ，７２１ｄ，７２２ｄ）を有することを特徴とする請求項４に記載の吸収性物品。
【請求項６】
前記少なくとも２つの分離されたフック材は、前記近位部分（２３ａ，２４ａ，３２１ａ，４２１ａ，６２１ａ，７２１ａ）及び前記遠位部分（２３ａ，２４ａ，３２１ａ，４２１ａ，６２１ａ，７２１ａ）の間に配置されていることを特徴とする請求項５に記載の吸収性物品。
【請求項７】
前記少なくとも２つの分離されたフック材は、少なくとも前記開口部（２１ｃ，２２ｃ，３２１ｃ，４２１ｃ，５１，５２，５３，５４，６２１ｃ，７２１ｃ）の長さＡの半分に沿って延在していることを特徴とする請求項６に記載の吸収性物品。
【請求項８】
前記タブ要素（２３，２４，３２２，４２２，６２２，７２２）及び前記受入部分（２１，２２，３２１，４２１，６２１，７２１）は、少なくとも１層の不織材を備えることを特徴とする請求項１〜７のいずれか一項に記載の吸収性物品。
【請求項９】
前記受入部分（２１，２２，３２１，４２１，６２１，７２１）は、弾性積層体から形成されていることを特徴とする請求項１〜８のいずれか一項に記載の固定装置を備える吸収性物品。
【請求項１０】
前記タブ要素（２３，２４，３２２，４２２，６２２，７２２）は、弾性積層体から形成されていることを特徴とする請求項１〜９のいずれか一項に記載の固定装置を備える吸収性物品。
【請求項１１】
前記受入部分（２１，２２，３２１，４２１，６２１，７２１）は、弾性領域を備えることを特徴とする請求項１〜１０のいずれか一項に記載の固定装置を備える吸収性物品。
【請求項１２】
前記タブ要素（２３，２４，３２２，４２２，６２２，７２２）は、弾性領域を備えることを特徴とする請求項１〜１１のいずれか一項に記載の固定装置を備える吸収性物品。
【請求項１３】
前記吸収性物品は、パンツ型オムツであることを特徴とする請求項１に記載の固定装置を備える吸収性物品。
【請求項１４】
前記吸収性物品は、パンツライナー、生理用ナプキン、又は軽量の失禁ガードであることを特徴とする請求項１に記載の固定装置を備える吸収性物品。
【請求項１５】
前記吸収性物品は、ベルト型オムツであることを特徴とする請求項１に記載の固定装置を備える吸収性物品。
【請求項１６】
前記吸収性物品は、従来の開放型オムツであることを特徴とする請求項１に記載の固定装置を備える吸収性物品。
【発明の詳細な説明】
【技術分野】
【０００１】
本発明は、オムツ、パンツ型オムツ、失禁ガード、パンツライナー、開放型オムツ、ベルト型オムツ、又はこの種のもののような、吸収性物品に関する。特に、本発明は、開口部を有する受入部を有する吸収性物品のための固定装置と、物品を閉じるための、受入部の開口部の中に挿入することができるように形成されたタブ要素とに関している。
【背景技術】
【０００２】
特許文献１は、開口部を有する固定システムがどのように吸収性物品に使用されるかを記載している。固定システムは、第１及び第２の固定要素を有し、物品が着用者に適用された後、互いに留め具固定されるように意図されている。良好な固定を得、強化するために、第１の固定要素は、複数の開口部を有する弾性構造体を備えている。この構造体は、開口部が、構造体が伸ばされたときに拡張し、弾性構造体が収縮したときに閉じるように構成されている。第２の固定要素はフック材を有し、このフックは、適用の際に、弾性材が延ばされたときに形成される開口部に固定される。この方法は、弱い閉鎖しか提供せず、すべてのフックを開口部に合わせるように適用することが困難なので、特に実践的ではない。
【０００３】
吸収性物品のための別の既に既知の固定装置は、特許文献２に記載されている。固定要素は、固定部分の挿入のための開口部を有する受入部を有している。固定部分は受入部に直接固定されるのではなく、“フック”が固定部分の特定の形状を介して開口部に固定される。固定装置は、強力で簡単であると言える。供与される別の利点は、固定装置が指定の固定構造を有することである。より具体的には、このことは、固定装置が受入部を有し、この受入部は内側部分及び外側部分と、これら内側部分及び外側部分との間に配置された開口部とを備えていると言うことを意味している。内側部分は、吸収性物品に結合されている。固定部分は、吸収性物品に結合された近位端部分と、遠位端部分とを有している。遠位端部分は、固定部分の遠位端部分の折り畳みによって形成された舌部分に相当するものを有している。舌部分を有する固定部分は、受入部の中の開口部を通じて挿入されており、少なくとも舌部分は受入部の外側部分の上に延在し、使用の際には、それによって固定部分を受入部に強固に固定している。
【０００４】
いわゆる”指定された固定構造“によって、他の物質が、物品の良好な固定を保証するために必要とされることは無い。さらなる利点は、物品を一緒に固定することができ、材料を削減し、よって物品の製造コストを削減できることであると言われている。
【０００５】
しかし、上述の固定装置には一連の欠点がある。開口部それ自体が、開口部を通じて移動する固定部分への固定手段として機能することを意味し、固定装置は一致されている固定部分と開口部との形状に依存している。したがって、上述の種類の固定装置は、力が装置を引っ張られた状態に保持することを必要とする。着用者が腹部を引っ込めている場合には、装置は一時的に緩められ、よって危険は緩和される。また、このような固定装置には所定の遊びがあり、この遊び部分では固定部分は受入部の中に引っかかるだけとなる。さらに、固定装置に高い応力がかかると、舌部分を有する固定部分は壊れる場合があり、例えば、一緒に折りたたまれ、よって開口部から押し出される。
【特許文献１】英国特許出願公開第２３０３１６９号明細書
【特許文献２】欧州特許第１００９３５０号明細書
【特許文献３】欧州特許第１２６１４７９号明細書
【特許文献４】米国特許出願公開第２００２００１６１２２号明細書
【特許文献５】欧州特許第７５７６２４号明細書
【特許文献６】欧州特許第６５９５４１号明細書
【特許文献７】国際公開第９３／２１８８２号パンフレット
【発明の開示】
【発明が解決しようとする課題】
【０００６】
本発明によれば、オムツ、パンツ型オムツ、生理用ナプキン、失禁ガード、パンツライナー、開放型オムツ、ベルト型オムツ、ベッド保護材、及びその種のものは、既知の物品の問題を実質的に回避するか、又は最小化された形で提供される。本発明にかかる物品は、タブ部分と固定手段を有する受入部分との両方によって主に特徴付けられる。
【課題を解決するための手段】
【０００７】
タブ部分と固定手段を有する受入部との両方によって、安定した確実なシールが得られる。受入部の開口部の中に挿入されるタブ部分は、受入部及び／又は物品に簡単に固定することができ、よって固定を強化する。受入部の固定手段は、固定装置をさらに安定化する。この強化はさらなる確実な固定を提供するだけでなく、固定装置の遊びが除かれるので、より良好なフィット感を提供する。１つの実施形態において、固定手段はフックの材料から形成することができ、強固で安定した接続を可能とし、先行技術に比べて簡単で低コストの構造的方法である。１つの実施形態において、タブ部分及び受入部は、タブ部分に固定するための固定手段を有している。このことは、例えばベルト型オムツのための固定装置として、長い受入部と長いタブ要素を必要とする場合に有利となり得る。別の実施形態においては、タブ部分及び／又は受入部は、吸収物品に固定するための固定手段を有している。このような構成は、物品の側部パネルの間の接続を安定化し、よって遊びは、そしてそれによる漏れは、最小化される。
【０００８】
良好なフィット感を提供するためには、固定装置に遊びが無いことが重要である。遊びは、好ましくはフック材の形状の、タブ要素と固定手段を有する受入部とによって最小化することができる。受入部の開口部によって、安定な接続が提供され、実際にはパンツ型オムツの側部シームの溶着を置き換えることができる。シールのさらなる強化は、受入部が、開口部に隣接して配置された少なくとも２つの別々のフック材を有する場合に提供される。フック材を開口部の周りの異なる位置に配置することによって、異なる機能が得られる。例えば、遠位部分は、少なくとも２つのフック材が近位端部分と遠位部分との間に配置されたときに、把持タブとして使用することができる。このことは、製品が着用者の強力で、把持可能な固定装置に対する要求を目的とする場合に有利であり得る。このような構成においては、２つの別々のフック材は、好ましくは開口部の長さの半分に沿って延在している。
【０００９】
簡単な実施形態においては、タブ要素と受入部とは、不織材からなる少なくとも１つの層を備えている。タブ要素と受入部とは、少なくとも２つの層からなる積層体である。積層体は、例えば２０ｇ／ｍ２のスパンボンド材と２０ｇ／ｍ２のカーディド不織層とから形成することができる。両層は、好ましくはポリプロペン繊維からなっている。フック材は、例えばＶＥＣＲＯ（登録商標）材とすることができる。
【００１０】
タブ要素と受入部とは好ましくは弾性を有し、例えば不織材を有する弾性フィルム積層体を備える弾性積層体から形成することができる。弾性積層体のさらなる例は、特許文献３、特許文献４、及び特許文献５に記載されている。また、タブ要素と受入部とは、弾性領域とすることができる。弾性領域の例は、タブ要素の近位部分、受入部の近位部分、タブ要素の遠位部分、又は受入部の遠位部分とすることができる。また、タブ要素と受入部とは、さらなる弾性領域、例えば近位部分の弾性領域及び遠位部分の弾性領域とすることができる。領域は非弾性領域によって離隔することができる。また、弾性は、異なる領域に対して異ならせることができる。また別の実施形態においては、タブ要素又は受入部のいずれかが弾性を有している。
【００１１】
固定手段は、受入部、タブ要素、又は吸収性物品に直接固定することができる。また、固定手段は、ループ状材料又は特定の固定手段用の特定の表面に固定することができる。固定手段が糊材である場合には、特定の表面は、固定を容易化するためのシリコーン処理された表面とすることができる。
【００１２】
１つの実施形態においては、タブ要素の遠位部分は受入部の開口部と同様の形状を有することができる。好ましくは、タブ要素の遠位部分は先のとがった形状を有し、この形状は、開口部を通じて挿入されるべき部分であることを着用者に視覚的に示している。また、受入部の開口部は、例えば図５ｂに示すのと同様の先のとがった形状を有している。受入部の開口部上の点は、タブ要素の先のとがった形状と共に、固定装置がどのように配置されるべきであるかを着用者に視覚的に示している。
【００１３】
本発明による固定要素が軽い失禁ガード、生理用ナプキン、またはパンツライナーに適用される場合、固定要素は好ましくは“羽部”に配置される。代替として、固定装置は羽部の一部分を形成することができる。次いで、製品は固定装置の助けによって下着に固定することができ、製品が使用の際の所定の位置からずれるのを回避する。
【発明を実施するための最良の形態】
【００１４】
後述に、本発明は添付の図面を参照しつつ、より詳細に記載される。
【００１５】
図１は、好適に液体不透過性とされた背面シート２と、液体透過性の上面シート３と、これら背面シートと上面シートとの間に含まれる吸収性本体４とを備える、パンツ型オムツ１の形態の吸収性物品の実施形態を示している。液体透過性の上面シート３は、例えば連続的な繊維からなるスパンボンド材、メルトブローン材、結合されたカーディド繊維材などの不織材、有孔のプラスティックフィルム、又はこれら材料の組み合わせを備えることができる。背面シート２が液体不透過性である場合には、背面シート２はプラスティックフィルム、液体撥水性の材料でコーティングされた不織材、又は液体の浸透に耐性のある疎水性材料のような材料を備えることができる。背面シート材２は好ましくは通気性を有している。“通気性を有する”材料は、水蒸気及び他のガスを通過させる能力を有する材料を意味している。このような材料の例はこの分野においては良く知られており、さらに記載はしない。
【００１６】
背面シート材２及び上面シート３は、吸収性本体４よりいくらか大きい平面内の伸びを有し、吸収性本体の端辺から外へ延在している。背面シート材２及び上面シート３は延在している領域内において、例えば糊付け又は、熱若しくは超音波による溶着を介して、互いに接続されている。弾性要素１０は、吸収性本体４の各側部に沿って、吸収性本体４に略平行に配置されている。また、いわゆる“立ち上がった漏れ遮蔽材”（図示されず）は、吸収性本体４のそばに、長手方向に配置することができる。物品は、２つの長手方向端辺８、９と、２つの横方向端辺１１、１２とを有している。
【００１７】
吸収性本体４は、いずれの従来のタイプからなっていても良い。通常見られる吸収性材料の例は、セルロースフラフパルプ、ティシュー層、超吸収性ポリマー（いわゆる“超吸収性材料”又はＳＡＰ）、吸収性を有する発泡材、吸収性不織材、及びその種の材料である。セルロースフラフパルプを吸収性本体の中の超吸収性材に組み合わせることが通常である。また、吸収性本体を、液体の吸収特性、分散特性、及び保有特性に関する異なる特性を有する異なる材料からなる複数の層で積層することが通常である。これは、当業者には良く知られていることであり、よって詳細に記載する必要は無い。例えば赤ちゃん用オムツ及び失禁ガードに通常である薄い吸収性コアは、圧縮された、セルロースフラフパルプ及び超吸収性材料からなる混合構造体又は層状構造体を備えていることが多い。吸収性物品に対して好適であるに違いない吸収性コアの例は、特許文献６及び特許文献７に詳細に記載されている。しかし、本発明は、単にこれらに限られることは無く、吸収性コアの例として理解されるべきである。
【００１８】
図１に示されるオムツは、例えば吸収性コアを最終コアパケットとしての背面シート材に結合することによって、生産することができる。よって、コアパケットは、不織担持体上の適用のための既に積層された、液体不透過性の背面シート、吸収性コア、及び上面シートを備えている。
【００１９】
パンツ型オムツ１は、吸収性を有するパンツのように着用者の胴の下部を取り囲むように意図されている。パンツ型オムツ１は、使用の際に着用者の前側に面するように意図された前部５と、使用時に着用者の後側に面するように意図された後部６とを有している。股部分７は、前部と後部との間に配置され、着用者の脚の間の股に配置されるように意図されている。パンツ型オムツは、長手方向と横方向とを有している。オムツの前部と後部とは、弾性要素３１、３２を有している。図においては、弾性要素３１、３２は、横方向に延在する弾性糸である。また、オムツは、長手方向端辺８、９の間に股部領域７の吸収性コア４を直線的に超えて延在する脚部要素３３、３４を有している。脚部弾性材３３、３４は、物品の長手方向端辺８、９に部分的に沿って続いており、よって脚部弾性材は、弾性要素１０とともに、股部領域７の長さ方向端辺８、９の全体の周りに形成されている。弾性材３１、３２、３３、３４の全体、若しくは一部分は、背面シート２と吸収性コア４との間に配置され、図示による点線で示されている。
【００２０】
パンツ型オムツ１は、オムツ１の後部６に配置された２つの受入部２１、２２と、オムツ１の前部５に配置された２つのタブ要素２３、２４とから形成された固定装置２１、２２、２３、２４を有している。２つの受入部２１、２２のそれぞれは、近位部分２１ａ、２２ａと、遠位部分２１ｂ、２２ｂと、これら近位部分と遠位部分との間に配置された開口部２１ｃ、２２ｃとを有している。示されている図においては、受入部２１、２２の近位部分２１ａ、２２ａは、部分的に、後部６の長手方向の側端辺８、９から成っている。オムツ１の２つのタブ要素２３、２４は、オムツの長手方向端辺８、９に結合された近位部分２３ａ、２４ａと遠位部分２３ｂ、２４ｂとを有している。遠位部分２３ｂ、２４ｂは、受入部２１、２２の開口部２１ｃ、２２ｃの中に挿入して物品１を閉じることができるように形作られている。
【００２１】
また、固定装置２１、２２、２３、２４は、フック材の形態の固定手段２１ｄ、２２ｄ、２３ｄ、２４ｄを有している。物品１の受入部２１、２２のフック材２１ｄ、２２ｄは、物品１の長手方向に、受入部２１、２２の遠位部分２１ｂ、２２ｂに沿って延在している。示された実施形態においては、フック材２１ｄ、２２ｄは、開口部２１ｃ、２２ｃと実質的に同じ長手方向の距離を延在している。このことは、強固で確実な接続が得られるのと同時に、良好なフィット感を保障している。
【００２２】
１つの実施形態においては、パンツ型オムツは、物品１の長手方向に沿って前部５及び後部６において、溶着ライン３５を有する図１に示されるように、超音波溶着によって永久的に閉塞することができ、よって物品１は最閉塞可能なパンツ型オムツを形成する。永久的なシールが破られ、壊された場合には、物品は、固定装置２１、２２、２３、３４の助けで再度閉塞することができる。後部６の長手方向端辺８、９が、受入部２１、２２の開口部２１ｃ、２２ｃの一部を形成するということにおいて、オムツが、固定装置２１、２２、２３、２４によって再度閉塞された場合に、そのフィット感を変化させないという利点が得られる。オムツ１が固定装置２１、２２、２３、２４の助けによって再度閉塞された場合に、オムツ１の長手方向端辺８、９は、本質的には永久シールが壊される前と同じ位置で終端する。
【００２３】
図２では、パンツ型オムツ１は組み立てられた状態で示されている。おむつのタブ要素２３、２４は、受入部分２１、２２の開口部２１ｃ、２２ｃを通じて挿入されている。フック材２１ｄ、２２ｄは、オムツの背面シート２に前部５において結合され、タブ要素２３、２４のフック材２３ｄ、２４ｄは、オムツの後部６に対して結合されている。また、図２は腰部開口部３８及び２つの脚部開口部３６、３７を示している。図３ａ〜ｃは、様々な方法で吸収性物品に構成することができる異なる固定手段を有する固定装置を示している。より正確には、図３は、近位部分３２１ａと、遠位部分３２１ｂと、近位部分３２１ａと遠位部分３２１ｂとの間に配置された開口部３２１ｃとを有する受入部３２１を示している。近位部分３２１ａは、固定装置の受入部分を部分的に形成するように吸収性物品に結合することができる。受入部は、２つの長手方向端辺３４１、３４２と横方向端辺３４３とを、受入部の遠位端３２１ｂに関して有している。
【００２４】
近位部分３２１ａがどのように吸収性物品に結合しているかに応じて、受入部３２１が開口部３２１ｃを形成する方法、若しくは吸収性物品が開口部３２１ｃの一部分を図１に示されるように形成すべきかどうか、を選択することができる。
【００２５】
また、図３ａは、近位部分３２２ａ及び遠位部分３２２ｂを有するタブ要素３２２を示している。近位部分３２２ａは、吸収性物品に結合され、部分的に固定装置を形成することができる。遠位部分３２２ｂは、閉塞のために受入部分３２１の開口部３２１ｃの中に挿入することができるように形成されている。タブ要素３２２の遠位部分３２２ｂがどちらの側から開口部の中に挿入されるかによって、遠位部分３２２ｂは受入部分３２１に取り付けるか、又は吸収性物品に直接取り付けることができる。タブ要素３２２の遠位部分３２２ｂのどの程度の量を受入部分３２１に、又は吸収性物品に固定するかは、固定装置をどのくらい機能させることを望むかによる。例えば、タブ要素３２２の遠位部分３２２ｂを、受入部分３２１を越えて延在するように十分に長くし、よって吸収性物品に固定することができる。代替的に、受入部分３２１は、吸収性物品に大幅に重ならないように吸収性物品の長手方向端辺に結合することができる。また、吸収性物品は、受入部分３２１の開口部３２１ｃの一部分を形成することができる。
【００２６】
別の実施形態では、受入部分及び／又はタブ要素の近位部分は、吸収性物品の一部分を形成している。さらなる実施形態では、受入部分及び／又はタブ要素は、別々の材料片から形成される。また、固定手段３２１ｄ、３２２ｄは図３ａに見ることができる。固定手段３２１ｄ、３２２ｄは、載り材、フック材、又はこの分野で知られているいずれの別の材料を備えることができる。
【００２７】
“フック材”という文言は、別の材料に機械的に取り付けることができる複数の小さなフックを備える物質、すなわち受入材を意味する。この受入材は、特別に形成されたループ状材料又は例えば不織材のような繊維ベースの材料とすることができる。このように、不織材はフック材のための受容材として作用させることができる。
【００２８】
図３ａにおいては、受入部分３２１は、フック材の形態の固定手段３２１ｄを有し、この固定手段３２１ｄは、遠位部分３２１ｂの横方向側辺３４３に沿って延在している。図３ｂ及び３ｃは、固定手段３２１ｄの受入部分３２１におけるさらなる代替的配置を示している。図３ｂにおいては、２つの固定手段が開口部３２１ｃの両側に受入部分の長手方向端辺３４１、３４２に沿って配置されている。
【００２９】
図３ｃでは、固定手段３２１ｄは、受入部分３２１の長手方向端辺３４１と横方向端辺３４３の間の隅、及び横方向３４３と別の長手方向端辺３４２との間の隅に配置されている。
【００３０】
１つの実施形態において、受入部分３２１の全体及び／またはタブ要素はフック材から形成されている。この場合、開口部３２１ｃは、例えばフック材に穴を開けて形成されている。
【００３１】
別の実施形態においては、タブ要素は、受入部分の開口部を通じて挿入することができ、受入部分または吸収性物品に固定される代わりにタブ要素の背面に固定されている。
【００３２】
図４は、受入部分４２１及びタブ要素４２２の実施形態を図の形態で示しており、受入部分及びタブ要素の様々な寸法を示している。受入部分４２１は、第１の長手方向端辺４４１、第２の長手方向端辺４４２、及び第１の長手方向端辺４４１と第２の長手方向端辺４４２との間に配置された横方向４４３を有している。受入部分４２１は、近位部分４２１ａ、遠位部分４２１ｂ、及び近位部分４２１ａと遠位部分４２１ｂとの間に配置された開口部４２１ｃを有している。示された実施形態において、開口部４２１ｃは、短い端辺Ａと長い端辺Ｂとを有する長方形の形態を有している。本発明の技術範囲内において、側辺Ａ及びＢの長さは別の開口部、例えば図５ａ〜ｄに図示されている開口部に適用することができ、長さＡ及び長さＢを有することができる。長さＡは０．１〜１００ｍｍ、０．１〜５０ｍｍ、０．１〜２０ｍｍ、５〜５０ｍｍ、又は５〜２０ｍｍとすることができる。実際には、０．１ｍｍは、図５ｃに図示されているように、開口部がスリットでしかないということを意味している。開口部４２１ｃの長さＢは、１０〜２００ｍｍ、１０〜１００ｍｍ、１０〜８０ｍｍ、５０〜１００ｍｍ、又は３０〜８０ｍｍとすることができる。開口部３２１ｃと横方向端辺との間の距離は、図４ａの中ではＣとして示されている。Ｃは、好適には１〜５０ｍｍ、１〜１０ｍｍ、１０〜５０ｍｍ、又は１０〜３０ｍｍの間隔である。
【００３３】
タブ要素４２２の遠位部分４２２ｂは、長手方向に距離Ｄを延在している。距離Ｄは、１０〜２００ｍｍ、１０〜１００ｍｍ、３０〜１５０ｍｍ、３０〜１００ｍｍ、４０〜１００ｍｍ、又は２０〜８０ｍｍの間隔である。遠位部分の幅Ｅは、横方向に１０〜２００ｍｍ、１０〜１００ｍｍ、１０〜８０ｍｍ、５０〜１００ｍｍ、又は３０〜８０ｍｍの間隔である。
【００３４】
受入部分４２１の近位部分４２１ａ、４２２ａとタブ要素４２２は、好ましくは横方向に同一の幅である。受入部分は、横方向に幅Ｆを有している。
【００３５】
タブ要素４２２の近位部分４２２ａは、横方向に幅Ｈを有している。所定の実施形態に置いては、近位部分４２２ａの幅Ｈは、遠位部分４２２ｂの幅Ｅと同じとすることができる。このことは、吸収性物品の腰部開口部のサイズにおける大きな変動に対する可能性を提供する。よって、物品は、異なるサイズの様々な異なる個人に合うようにする事ができる。このようにされていない場合には、ＨとＥとの間の違いは、好ましくは上述の距離ＦとＢとの間の違いと同じ大きさである。距離Ｆ及びＨは、１００〜２０ｍｍ、１００〜５０ｍｍ、又は５０〜２０ｍｍの間隔である。
【００３６】
固定装置の１つの実施形態においては、受入部分は、２０ｇ／ｍ２の面重量を有するポリプロピレン繊維から成るカーディド不織層（ｃａｒｄｅｄ  ｎｏｎｗｏｖｅｎ  ｌａｙｅｒ）に超音波溶着された、２０ｇ／ｍ２の面重量を有するポリプロピレン繊維から成るスパンボンド不織材を備える不織材積層体から形成されている。結合領域は、積層体の全面積の約８％である。
【００３７】
結合パターンは従来のものであり、例えばチェック模様、円形状模様、ダイアモンド形模様又はその種のものである。フック材は、ＶＥＬＣＲＯ（登録商標）タイプから成り、受入部分及びタブ要素に従来のホットメルト接着剤で結合されている。フック材の構成は、図３に図示されたものである。受入部分の２つのフック材の領域は、それぞれ約４ｃｍ２である。タブ要素のフック材の領域は、約７．５ｃｍ２である。
【００３８】
受入部分の開口部は長方形であり、Ａ＝２ｃｍ、Ｂ＝４ｃｍの寸法を有している。遠位部分はＣ＝１．５ｃｍである。受入部分の全長は８ｃｍである。他の寸法は、幅Ｆ＝７．５ｃｍである。タブ要素の寸法は、Ｄ＝４ｃｍ、Ｅ＝３．９ｃｍ、Ｈ＝７．５ｃｍである。タブ要素の全長は８ｃｍである。タブ要素及び受入部分は、アップアンドゴー（Ｕｐ  ＆  Ｇｏ）式オムツ、ＸＬに超音波で強固に溶着され、固定装置が得られる。
【００３９】
受入部分２１、２２、３２１、４２１における開口部の形状のさらなる例は、図５ａ〜５ｃに図示されている。図５ａは、タブ要素を受け入れるための半円状の開口部を示している。図５ｂは、家のような形状（三角形が長方形の上に配置され、長方形の１つの長辺に向かって基体を有する）を有する開口部５２を示している。図５ｃは、スリット形状の開口部５３を示している。図５ｄは、三角形状の開口部５４を示している。
【００４０】
図６及び７は、受入部分とタブ要素とを結合する２つの異なる方法を示している。受入要素６２１は、上部面６０１及び下部面６０２と、開口部６２１ｃとを有している。タブ要素６２２は、上部面６０３、下部面６０４、遠位部分６２２ｂ、及び近位部分６２２ａを有している。受入部分６２１とタブ要素６２２との両方は、下部面６０２、６０４に配置されたフック材６２１ｄ、６２２ｄの形態の固定手段を有している。受入部分６２１及びタブ要素６２２の組立の際に、タブ要素６２２の遠位部分６２２ｂを受入部分６２１の下部面を介して開口部６２１ｃの中に挿入し、よってタブ要素６２２の固定手段６２２ｄを受入部分６２１の上部面６０１に固定することができる。同時に、受入部分６２１の固定手段６２１ｄはタブ要素６２２の上部面６０３に固定される。
【００４１】
図７は、上部面７０１及び下部面７０２と、開口部７２１ｃとを有する受入要素７２１を示している。タブ要素７２２は、上部面７０３、下部面７０４、遠位部分７２２ａ、及び近位部分７２２ｂを有している。受入部分７２１及びタブ要素７２２の両方は、上部面７０１、７０３上に配置されたフック材７２１ｄ、７２２ｄの形態の固定手段を有している。
【００４２】
受入部分７２１及びタブ要素７２２の組立の際に、タブ要素７２２の遠位部分７２２ｂは受入部分７２１の上部面を介して開口部７２１ｃの中に挿入され、よってタブ要素７２２の固定手段７２２ｄは、受入部分７２１の下部面７０２に固定することができる。同時に、受入部分７２１の固定手段７２１ｄをタブ要素７２２の下部面７０４に固定する。
【図面の簡単な説明】
【００４３】
【図１】液体透過性の上面シートから見た外側に引き伸ばされたオムツの図である。
【図２】アセンブリされた状態のオムツの図である。
【図３ａ】固定装置上の固定手段の異なる構成を示す図である。
【図３ｂ】固定装置上の固定手段の異なる構成を示す図である。
【図３ｃ】固定装置上の固定手段の異なる構成を示す図である。
【図４ａ】受入部及びタブ要素に対する異なる寸法使用を示す図である。
【図４ｂ】受入部及びタブ要素に対する異なる寸法使用を示す図である。
【図５ａ】受入部の開口部の異なる形態を示す図である。
【図５ｂ】受入部の開口部の異なる形態を示す図である。
【図５ｃ】受入部の開口部の異なる形態を示す図である。
【図５ｄ】受入部の開口部の異なる形態を示す図である。
【図６】受入部とタブ要素との異なる構成を示す図である。
【図７】受入部とタブ要素との異なる構成を示す図である。
【符号の説明】
【００４４】
２１ａ，２２ａ，３２１ａ，４２１ａ・・・近位部分
２１ｂ，２２ｂ，３２１ｂ，４２１ｂ・・・遠位部分
２１ｃ，２２ｃ，３２１ｃ，４２１ｃ，５１，５２，５３，５４，６２１ｃ，７２１ｃ・・・開口部
２１，２２，３２１，４２１，６２１，７２１・・・受入部分
２３ａ，２４ａ，３２２ａ，４２２ａ，６２２ａ，７２２ａ・・・近位部分
２３ｂ，２４ｂ，３２２ｂ，４２２ｂ，６２２ｂ，７２２ｂ・・・遠位部分
２３，２４，３２２，４２２，６２２，７２２・・・タブ要素
１・・・吸収性物品
２１，２２，２３，２４・・・固定装置
２１ｄ，２２ｄ，２３ｄ，２４ｄ，３２１ｄ，３２２ｄ，６２１ｄ，６２２ｄ，７２１ｄ，７２２ｄ・・・固定手段
【図１】
2008543419.tif 000003
【図２】
2008543419.tif 000004
【図３ａ】
2008543419.tif 000005
【図３ｂ】
2008543419.tif 000006
【図３ｃ】
2008543419.tif 000007
【図４ａ】
2008543419.tif 000008
【図４ｂ】
2008543419.tif 000009
【図５ａ】
2008543419.tif 000010
【図５ｂ】
2008543419.tif 000011
【図５ｃ】
2008543419.tif 000012
【図５ｄ】
2008543419.tif 000013
【図６】
2008543419.tif 000014
【図７】
2008543419.tif 000015
【国際調査報告】
2008543419.tif 000016
2008543419.tif 000017